(57)【要約】【課題】ガラス基材等の面材の側縁を両面テープを用いて縦枠に見栄え良く適切に接着できるようにする。【解決手段】ガラス基材３１を縦枠３４に取り付けるに際して、ガラス基材３１の側縁に沿った裏面３１ｖと縦枠３４の裏面保持部３４ａとの間、及び、ガラス基材３１の側縁の小口３１ｗと縦枠３４の小口保持部３４ｂとの間を、それぞれ両面テープＴ１、Ｔ２を介在させて接着するように構成したので、両面テープＴ１に必要なテープ幅を小さくすることができ、これにより気泡が入り難く追い出し易い構造にして皺が寄ることを防止し、パネル３の側縁における端正な仕上がり状態と必要な接着力を好適に両立させることができる。  【選択図】図１３
2008121269.tif 000002
【特許請求の範囲】
【請求項１】
面材の側縁を縦枠で支持するようにしたものであって、面材の側縁に沿った裏面と縦枠の裏面保持部との間、及び、面材の側縁の小口と縦枠の小口保持部との間を、それぞれ両面テープを介在させて接着したことを特徴とするパネル。
【請求項２】
裏面保持部を、面材の裏面に平行な面と、面材の側縁から離れるにつれて漸次裏面から離れる方向に傾斜する傾斜面とから構成している請求項１記載のパネル。
【請求項３】
裏面保持部に、面材の側縁に平行な溝を当該側縁と直交する方向に複数配列して形成している請求項１又は２記載のパネル。
【請求項４】
溝が波状に多数連続するものである請求項３記載のパネル。
【請求項５】
両面テープが透明ないし半透明のものである請求項１〜４記載のパネル。
【請求項６】
請求項１〜５記載のパネルを、面材の側縁が支柱の前面に位置するように配置してなることを特徴とする間仕切装置。
【発明の詳細な説明】
【技術分野】
【０００１】
本発明は、ガラス基材等の面材を用いたパネル及びこれを用いた間仕切装置に関するものである。
【背景技術】
【０００２】
間仕切装置は、床と天井の間を間仕切るべく、床に配置した巾木と天井に固定した天井レールとの間に取り付けられる。その際、巾木と天井との間に支柱を立て、支柱間に中間枠となる横枠を取り付けて、横枠に沿ってパネルを取り付ける構造等も採用されている。
【０００３】
パネルが面材としてガラス基材を用いたものである場合、ガラス基材に枠を設け、その際、上下縁はガラス基材を支持するために枠材を、ガラスの前面に一部回り込ませてしっかり抱き込む形状にする必要があるが、左右の側縁は通常、意匠向上のために枠材を極力抱き込まないことが望まれる。
【０００４】
そこで、特許文献１等に示されるように、ガラス基材の側縁の裏面と縦枠の対応部位との間に両面テープを貼って、ガラス基材を縦枠に保持させるようにしているものがある。
【特許文献１】特開２００５−１７９９４７号公報
【発明の開示】
【発明が解決しようとする課題】
【０００５】
しかしながら、接着面を確保すべく、両面テープにある程度巾広のものを用いると、先ずガラス基材に両面テープを貼りそれをアルミ等の縦枠に接着する際に、両面テープと縦枠との間に気泡が入り、テープが皺になるなどして見栄えが悪くなる。しかも、貼った後で空気を追い出すことは困難である。
【０００６】
このような事情から、従来では両面テープに気泡や皺を隠すために不透明なものを用いざるを得ず、これがガラスの側縁に沿って縁取りのように視認されて、意匠向上の実効が図れないという問題があった。
【０００７】
本発明は、このような課題に着目してなされたものであって、ガラス基材を始めとする面材の側縁を両面テープを用いて縦枠に適切に接着する新たな構造を採用し、これにより叙述の不具合を有効に解決したパネル及び間仕切装置を提供することを目的としている。
【課題を解決するための手段】
【０００８】
本発明は、かかる目的を達成するために、次のような手段を講じたものである。
【０００９】
すなわち、本発明のパネルは、ガラス基材等の面材の側縁を縦枠で支持するようにしたものであって、面材の側縁に沿った裏面と縦枠の裏面保持部との間、及び、面材の側縁の小口と縦枠の小口保持部との間を、それぞれ両面テープを介在させて接着したことを特徴とする。
【００１０】
このように、両面テープを面材の裏面のみならず小口にも設けるように構成すれば、必要な接着力を縦枠の裏面保持部と小口保持部とで分担して受け持つことができる。このため、裏面側にのみ両面テープを設ける場合に比べて必要なテープ幅を小さくすることができ、気泡が入り難く追い出し易い構造にして、テープに好ましくない皺が寄ること等も有効に防止し、端正な仕上がり状態と必要な接着力を好適に両立させることが可能となる。
【００１１】
パネル側縁の外観向上のためには、面材の上下両縁を上枠と下枠で前面に回り込んで抱え込むように支持するとともに、縦枠の小口保持部は面材の小口で終り、前面に回り込ませない構造にしておくことが好ましい。
【００１２】
積極的な気泡の追い出しを図るためには、裏面保持部を、面材の裏面に平行な面と、面材の側縁から離れるにつれて漸次裏面から離れる方向に傾斜する傾斜面とから構成しておくことが効果的である。
【００１３】
或いは、裏面保持部に、面材の側縁に平行な溝を当該側縁と直交する方向に複数配列して形成しておくことも有効である。
【００１４】
特に、気泡の追い出し効果を高めるためには、溝を波状に多数連続させておくのがよい。
【００１５】
以上の構成を採用した上で、両面テープを透明ないし半透明のものにすれば、両面テープを目立ちにくくして、特に面材がガラス基材等である場合にパネル側縁と縦枠との間に端正な仕上がり状態を実現する事ができる。
【００１６】
そして、以上のパネルを用いれば、パネルを構成する面材の側縁が支柱の前面に位置づけられ、面材の側縁が目立ち易い部位に位置することとなる間仕切装置においても、パネル面の外観を有効に向上させることが可能となる。
【発明の効果】
【００１７】
本発明は、以上説明した構成であるから、面材の側縁を両面テープを用いて縦枠に、気泡の封じ込めや皺の発生を伴うことなく適切に接着することができ、これにより例えば面材がガラス基材等で構成されるパネルに対して両面テープに透明ないし半透明のものを用いても、パネル側縁の外観を有効に向上させることが可能となる。
【発明を実施するための最良の形態】
【００１８】
以下、本発明の一実施形態を、図面を参照して説明する。
【００１９】
この実施形態は、図１に示すように、壁面全体をパネル３で構成するようにした間仕切装置である。
【００２０】
この間仕切装置は、図１及び図２に示すように、オフィスやフロアー等の室内空間を間仕切るべく、床Ｆに配置した巾木４と天井Ｃに固定した天井レール５との間に支柱１を立て、支柱1間に横枠２を取り付けて、けんどん方式でパネル３を着脱可能として、一部のパネル３の中抜きを可能とするものである。けんどん方式とは、先ずパネル３を若干傾けて上に位置する横枠２に対し図２に矢印Ａ１で示すように先にパネル３の上縁を差し込み、次にパネル３を鉛直姿勢に保持して下に位置する横枠２に矢印Ａ２で示すようにパネル３の下縁を載せ置くようにして取り付ける方式をいう。
【００２１】
パネル３は、図３及び図４に示すように、面材であるガラス基材３１の上下両縁にそれぞれ枠材である上枠３２及び下枠３３を、また図５及び図６に示すように当該ガラス基板３１の左右の側縁にそれぞれ枠材である縦枠３４を取り付けたものである。そして、このパネル３を、詳細は後述するが支柱1に設けた掛け止め部１１に縦枠３４に設けた爪部材３５を係り合わせるようにしており、これにより正面側及び裏面側から対をなすパネル３を掛け止めて、全体で両面ガラス構造の間仕切を構成するようにしている。
【００２２】
図７及び図８は最下段に配置されるパネル３と巾木４との係り合いの構造を、図９及び図１０は最上段に配置されるパネル３と巾木４との係り合いの構造を示している。上記図２〜図４は横枠２と当該横枠２の上下に隣接するパネル３との係り合いの構造を示したものであり、上記図５及び図６はパネル３を構成する縦枠３４の支柱1への取付構造を示したものである。
【００２３】
先ず、図７及び図８等を参照して、最下段に配置されるパネル３と巾木４との係り合いの構造について説明する。巾木４は、床Ｆに置き敷かれる上向チャネル状の内巾木部材４１に図示しないアジャスタを介して上面に凸条４２ａを有する外巾木枠材４２を嵌合させ、この外巾木枠材４２の上部に下向溝４３ａを有する補助取付材４３を当該補助取付材４３に設けた下向溝４３ａを前記突条４２ａに嵌め合わせて固定したもので、この補助取付材４３の端部からは立片４３ｂが起立している。これに対して、最下段のパネル３を構成する下枠３３は、ガラス基材３１の下縁近傍の裏面を保持する裏面保持部３３ａと、ガラス基材３１の下縁の小口を保持する小口保持部３３ｂと、巾木４の上面に垂下する垂下片３３ｃ１を有する接地部３３ｃからなり、接地部３３ｃから裏面保持部３３ａに亘る部位に、ガラス基材３１の背後において当該ガラス基材３１の下端よりも高い位置にまで巾木４を受容する凹部３３ｘが形成してある。そして、この凹部３３ｘを巾木４に被せるように取り付けることによって、ガラス基材３１の下縁を巾木４の側面４ａに一部被るように位置づけるようにしている。その際、下枠３３の下端から床Ｆまでの間に極力隙間が残らないようにすべく、ガラス基材３１で巾木４の上下方向の過半部（半分以上）を覆い得るように設定している。
【００２４】
次に、図９及び図１０等を参照して、最上段に配置されるパネル３と天井レール５との係り合いの構造について説明する。天井レール５は、天井Ｃに固定される下向チャネル状の外レール部材５１の所定位置に部分チャネル状をなす内レール部材５２を嵌合させたもので、その内レール部材５２の側壁５２ａは外レール部材５１の側壁５１ａよりも下方にまで垂下させてある。これに対して、最上段のパネル３を構成する上枠３２は、ガラス基材３１の上縁近傍の裏面を保持する裏面保持部３２ａと、ガラス基材３１の上縁の小口を保持する小口保持部３２ｂと、天井レール５の開口に一部を呑み込ませるようにして係り合わせることの可能な立片３２ｃ１を有する差し込み部３２ｃとからなり、立片３２ｃから裏面保持部３２ｂに亘る部位に、ガラス基材３１の背後において当該ガラス基材３１の上端よりも低い位置にまで天井レール５を受容する凹部３２ｘが形成してある。そして、前記立片４２ｃを天井レール５に呑み込ませるように取り付けることによって、ガラス基材３１の上端を天井レール５の側面５ａに一部被るように位置づけるようにしている。その際、上枠３２の上端から天井Ｃまでの間に極力隙間が残らないようにすべく、ガラス基材３１で天井レール５の上下方向の過半部（半分以上）を覆い得るように設定している。
【００２５】
なお、この実施形態のガラス基材３１には、２枚のガラス板材３１ａ、３１ｂを貼り合わせた、いわゆる合わせガラスを使用している。そして、これを上枠３２や下枠３３で支持するにあたり、図７〜図１０に示すように両ガラス板材３１ａ、３１ｂの間に内側の板材３１ａが外側の板材３１ｂに比して大となる段差が設けてある。そして、上枠３２及び下枠３３の小口保持部３２ｂ、３３ｂに設けた凹溝３２ｄ、３３ｄに内側のガラス板材３１ａを嵌め込むと同時に、小口保持部３２ｂ、３３ｂのうち凹溝３２ｄ、３３ｄの外側に位置する外面３２ｂ１，３３ｂ１と外側のガラス板材３１ｂの表面３ａとを面一となるように設定している。
【００２６】
そして、パネル３を巾木４に取り付けた図７の状態において、凹部３３ｘ内には巾木４の立片４３ｂを外側、下枠３３の垂下片３３ｃ１を内側として両者間にパネル厚み方向の係り合い部Ｙ１が形成され、またパネル３を天井レール５に取り付けた図９の状態において、凹部３２ｘ内には天井レール５を構成する内レール部材５２の側壁５２ａを外側、上枠３２の立片３２ｃを内側として両者間にパネル厚み方向に重合する係り合い部Ｙが形成されるようにしている。
【００２７】
また、図３及び図４等を参照して、中間部に配置されるパネル３と当該パネル３の取付先である横枠２との係り合いの構造について説明する。その際、パネル３が図２、図５及び図６に示したように巾方向両側縁を支柱1に掛け止め、パネル３の上下縁をけんどん方式で支柱１、１間に配置した横枠２に沿って取り付けられる点は上述したところである。そして、このようなけんどん方式にも関わらずパネル３の巾方向中央が前方に膨らむことを防止するために、パネル３の上下両縁を横枠２にパネル厚み方向に重合させて、パネル３の厚み方向外側への変形を規制するようにしている。
【００２８】
先ず横枠２は、図３及び図４に示すように全体がほぼ等厚に押出し成型されたもので、支柱1の奥行き寸法Ｄに合致する奥行き寸法を有し、その奥行き方向の両面に見付け面となる外壁２１を有している。これを、構造的に一対の外壁２１の中間部間を水平部２２を介して連結したものと見なした場合、水平部２２の下側には、外壁２１，２１間に下向きの垂下片２３が２箇所に設けられ、それら外壁２１と垂下片２３との間に３条の溝２４ａ、２４ｂ、２４ａを形成している。一方、水平部２２の上方には中央に前記溝２４ｂの溝底を一部深くするための突条２５が設けられ、この突条２５と外壁２１との間に２条の溝２６ａ、２６ａを形成している。
【００２９】
これに対して、例えば中段に配置されるパネル３を保持する上枠３２は、ガラス基材３１の上縁近傍の裏面を保持する裏面保持部３２ｐと、ガラス基材３１の上縁の小口を保持する小口保持部３２ｑとを有し、ガラス基材３１の背後において当該ガラス基材３１の上縁よりも低い位置にまで横枠２を受容する凹部３２ｒを形成している。この凹部３２ｒの底壁には、横枠２の溝２４ｂを形成する垂下片２３の内向面に対し、これに接触するような外向きの突条３２ｓを有する突片３２ｔが設けてあり、これら垂下片２３の内向面と外向きの突条３２ｓとが、上枠３２と横枠２とを厚み方向に重合させる本発明の重合部Ｘ１を形成している。この重合部Ｘ１の重合状態を実効あらしめるべく、上枠３２に設けた裏面保持部３２ｐの内向面が横枠２の外壁２１の外面に緊密に添接するように設定している。
【００３０】
また、下枠３３は、ガラス基材３１の下縁近傍の裏面を保持する裏面保持部３３ｐと、ガラス基材３１の下縁の小口を保持する小口保持部３３ｑとを有し、ガラス基材３１の背後において当該ガラス基材３１の下縁よりも高い位置にまで横枠２を受容する凹部３３ｒを形成している。この凹部３３ｒの上壁には、横枠２の外壁２１の内向面に接触する外向面３３ｓが設けてあり、これら外壁２１の内向面と横枠２の外向面３３ｓとが、下枠３３と横枠２とを厚み方向に重合させる本発明の重合部Ｘ２を形成している。この重合部Ｘ２の重合状態を実効あらしめるべく、下枠３３に設けた裏面保持部３３ｐの内向面が横枠２の外壁２１の外面に緊密に添接するように設定している。また、外向面３３ｓの奥側は、横枠３の溝２６ａに嵌まり込んでパネル３を実質的に支持する突条３３ｍになっている。
【００３１】
すなわち、ある位置にある横枠２を水平方向から見た場合、けんどん方式で下パネル３を外すために当該パネル３を持ち上げると、上枠３の立片３２ｔが横枠２の垂下片２３の内側を上方へ移動するに伴って、重合部Ｘ１は横枠２と上パネル３の下枠３３との重合部Ｘ２に対して高さ位置が重なる関係に設定してある。しかしながら、パネル厚み方向（図３の紙面左右方向）に沿ってこれらの重合部Ｘ１、Ｘ２が図示のように互いに変位する位置に設けてあるため、両重合部Ｘ１、Ｘ２が干渉することが回避されている。換言すると、重合部Ｘ１，Ｘ２を上下に直列に形成したならば、けんどんに必要な上下のパネル３のストロークを加算した分だけ横枠２が大型化するところ、これらの重合部Ｘ１，Ｘ２の位置を奥行き方向に分散したことで横枠２の大型化が回避されている。
【００３２】
この場合、下枠３３と横枠２との重合部Ｘ２が、上枠３２と横枠２との重合部Ｘ１よりも浅くなるように設定している。下枠３３は重合部Ｘ２において横枠２に引っ掛かっている状態からけんどんによるパネル抜脱時に重合部Ｘ２は外れるだけでよいのに対して、上枠３２はパネル抜脱時に一時的に重合部Ｘ１の呑み込みがより深くなる必要があるからである。下枠３３の外向面３３ｓは裏面保持部３３ｐとの間に横枠２の外壁２１を緊密に差し込む溝３３ｔ（図４参照）を形成している。
【００３３】
そして、この中段のパネル３の場合も、ガラス基材３１を構成する両ガラス板材３１ａ、３１ｂの間に内側が大となる段差を設けていることに対応して、上枠３２及び下枠３３の小口保持部３２ｑ、３３ｑに設けた凹溝３２ｕ、３３ｕに内側のガラス板材３１ａを嵌め込み、小口保持部３２ｑ、３３ｑの外面３２ｑ１，３３ｑ１と外側のガラス板材３１ｂの表面３ａとが面一となるように設定している。
【００３４】
さらに、図５及び図６等を参照して、パネル３の縦枠３４を支柱1に取り付ける構造について説明する。縦枠３４は、ガラス基材３１の側縁に沿った裏面を保持する裏面保持部３４ａと、ガラス基材３１の側縁の小口を保持する小口保持部３４ｂと、ガラス基材３１の背後において漸次パネル３の幅方向中央に傾斜しつつ支柱1への取付部分を覆う化粧枠部３４ｃとからなるもので、裏面保持部３４ａと化粧枠部３４ｃとの境界部分に突条３４ｄが設けてあり、この突条３４ｄと裏面保持部３４ａとの入隅部が支柱1のコーナー部に突き当てられるようにしている。前記突条３４ｄには、偏平な取付用溝３４ｚが形成してある。
【００３５】
そして、支柱1の内面に、平断面略コ字型をなしその側板上部に一対の凸状の掛け止め部１１ａを有する取付具１１を固定し、前述した取付用溝３４ｚの長手方向所定位置に、支柱1側に上下一対の係り合い部３５ａを持ち出すようにして爪部材３５を固定して、爪部材３５の係り合い部３５ａを支柱1の取付部１１に設けた掛け止め部１１ａに正面側及び裏面側から掛け止めることによって、図３等に示すように一対のパネル３を二重構造で支柱1に支持させ得るようにしている。パネル３は背合わせに枠材の内方端同士を突き合わせた状態で配置される。
【００３６】
なお、図３及び図４に示した上枠３２及び下枠３３にも前記取付溝３４ｚに対応する位置に取付溝３２ｚ、３３ｚが設けてあり、取付溝３２ｚ、３４ｚ間、および取付溝３３ｚ、３４ｚ間にそれぞれＬ字状の連結具が差し込まれて、縦枠３４と下枠３２及び上枠３３との連結がなされる。
【００３７】
以上のようにして、例えば中段のパネル３を一対の横枠２、２の間から取り外す際には、図３の状態から先ず図１１に矢印Ａ３で示すようにパネル３を持ち上げて上枠３２の立片３２ｔを突条３２ｓとともに横枠２の垂下片２３の内向面に摺動させつつ当該横枠２の溝２４ｂ内に経過的に呑み込ませ、かつ上枠３２の溝３３ｔ内に横枠２の外壁２１を経過的に飲み込ませる。このとき、下枠３３の溝３３ｔが横枠２の外壁２１の内向面との重合を解除し且つ下枠３３の突条３３ｍが横枠２の溝２６ａから離脱する位置まで移動させる。そして、同図中矢印Ａ４で示すようにパネル３をやや傾けて下枠３３を横枠２の外側方に持ち出し、さらに矢印Ａ５で示すようにパネル３を降下させ、上枠３２の立片３２ｔを突条３２ｓとともに横枠２の溝２４ｂから離脱させ、かつ上枠３２の溝３２ｒから横枠２の外壁２１を離脱させれば、パネル３を上下の横枠２，２間から中抜きすることができる。再度パネル３を嵌め込むときには、これと逆の手順に従う。
【００３８】
その際、下パネル３の上縁と上パネル３の下縁との間に存する目地の寸法と、パネル３の爪部材３５の係り合い部３５ａが支柱１に設けた取付具１１の掛け止め部１１ａから外れるための移動寸法との間には次の関係が設定されている。すなわち、図１２（ａ）に示すように上パネル３が所定取付位置にあるときに下パネル３を上方へ移動させた場合、その上縁が上パネル３の下縁に突き当たった段階で爪部材３５の係り合い部３５ａが取付具１１の掛け止め部１１ａから完全には離脱できないためにパネル３を外すことができず、このとき図１２（ｂ）に示すように上パネル３を所定取付位置から先に上方に持ち上げておくことにより始めて、爪部材３５の係り合い部３５ａを取付具１１の掛け止め部１１ａから離脱させてパネル３を支柱1から外すに足る動き代が形成されるようにしている。
【００３９】
ここで、パネル３の側縁におけるガラス基材３１と縦枠３４との取付構造について説明しておく。この実施形態では、ガラス基材３１を縦枠３４に取り付けるに際して、図５、図６及び図１３に示すようにガラス基材３１の側縁に沿った裏面３１ｖと縦枠３４の裏面保持部３４ａの前面３４ａ１との間、及び、ガラス基材３１の側縁の小口３１ｗと縦枠３４の小口保持部３４ｂの内面との間を、それぞれ適宜の素材からなる透明ないし半透明の両面テープＴ１，Ｔ２を介在させて接着している。
【００４０】
ガラス基材３１の小口３１ｗ側に貼り付ける両面テープＴ２は、内側のガラス板材３１ａの小口３１ｗでほぼ終り、外側のガラス板材３１ｂの小口３１ｗには深くは入り込まないように貼り付けられる。そして、その外側のガラス板材３１ｂの小口３１ｗには、小口保持部３４ｂの前面側の内面に設けた微小突条３４ｂ１が密接ないし近接して、正面視された場合にテープＴ２の存在を目隠しするようにしている。縦枠３４の小口保持部３４ｂは上枠３２や下枠３３の小口保持部３２ｂ、３３ｂのようにはガラス基材３１の前面側に回りこんでおらず、正面視した場合に小口保持部３４ｂの前端面３４ｂｘが外側のガラス板３１ｂの表面３ａに対して面一な状態となるようにしている。
【００４１】
一方、縦枠３４の裏面保持部３４ａの前面３４ａ１は、ガラス基材３１の側縁に近い側にあって当該ガラス基材３１の裏面３１ｖに沿った平行面１３４ｍと、ガラス基材３１の側縁（小口）から離れるにつれて漸次裏面３１ｖから離れる方向に傾斜する傾斜面１３４ｎとから構成されており、裏面保持部３４ａに貼り付けられる両面テープＴ２は、その平行面１３４ｍに主として貼り付けられ、一部が傾斜面１３４ｎに差し掛かっている。
【００４２】
この結果、両面テープＴ１，Ｔ２同士はＬ字型に配置されることとなるが、テープＴ１，Ｔ２の端部同士は縁が切れており、これら両端部と小口保持部３４ａの入隅部との間には若干隙間が存在している。また、内側のガラス板材３１ａのコーナー部には面取がしてあり、その面取部分と両テープＴ１、Ｔ２の端部との間にも微小隙間が存在している。勿論、両面テープＴ１と傾斜面１３４ｎとの間にもくさび状の微小隙間が形成されている。
【００４３】
そして、ガラス基材３１の裏面３１ｖ側に貼り付ける両面テープＴ１と、小口３１ｗ側に取り付けるテープＴ２とを、ほぼ等幅に設定し、これらのテープＴ１，Ｔ２によってガラス基材３１の側縁を縦枠３４に分担して接着保持している。
【００４４】
以上のように、本実施形態のパネル３は、面材であるガラス基材３１を縦枠３４に取り付けるに際して、ガラス基材３１の側縁に沿った裏面３１ｖと縦枠３４の裏面保持部３４ａとの間、及び、ガラス基材３１の側縁の小口３１ｗと縦枠３４の小口保持部３４ｂとの間を、それぞれ両面テープＴ１、Ｔ２を介在させて接着したものである。
【００４５】
このように、ガラス基材３の裏面３１ｖに両面テープＴ１を設けるのみならず、ガラス基材３の小口３１ｗにも設けることで、必要な接着力を縦枠３４の裏面保持部３４ａと小口保持部３４ｂとで分担して受け持つことができる。このため、裏面側にのみ両面テープＴ１を設ける場合に比べて当該両面テープＴ１に必要なテープ幅を小さくすることができ、これにより気泡が入り難く追い出し易い構造にして皺が寄ること等も有効に防止し、パネル３の側縁における端正な仕上がり状態と必要な接着力を好適に両立させることが可能となる。
【００４６】
特に、ガラス基材３１を、比較的目立ち難い上枠３２と下枠３３においては前面に回り込んで抱え込むように的確に支持しているので、目立ち易い縦枠３４の小口保持部３４ｂはガラス基材３１の小口３１ｗで終り前面に回り込ませない構造にして、裏面保持部３４ａ及び小口保持部３４ｂに接着するだけで事足りるものとなり、意匠向上に有効に資することとなる。
【００４７】
さらに、裏面保持部３４ａを、ガラス基材３１の裏面３１ｖに沿った平行面１３４ｍと、ガラス基材３１の側縁から離れるにつれて漸次裏面から離れる方向に傾斜する傾斜面１３４ｎとから構成しているので、両面テープＴ１と裏面保持部３４ａの平行面１３４ｍとの間に気泡が入り込んでも、貼り合わせる際に裏面保持部３４ａと傾斜面１３４ｎとの間に生じる微小隙間から逃げ易くなるので、必要な接着力を確保しつつ、接着時の気泡の有効な追い出し効果を得ることができる。
【００４８】
以上のような構成であるから、両面テープＴ１，Ｔ２を透明ないし半透明としても気泡の閉じ込めやそれに伴う両面テープＴ１，Ｔ２の皺の発生の問題を解消でき、その結果、パネル３の側縁と縦枠３４との間に端正な仕上がり状態を有効に実現する事が可能となる。
【００４９】
そして、以上のようなパネル３を用いることにより、ガラス基材３１の側縁が支柱１の前面に位置するように当該支柱１に取り付けて間仕切装置が構成され、ガラス基材３１の側縁が目立ち易い部位に配されることになっても、パネル面の外観を有効に向上させることが可能となる。
【００５０】
なお、各部の具体的な構成は、上述した実施形態のみに限定されるものではなく、本発明の趣旨を逸脱しない範囲で種々変形が可能である。
【００５１】
例えば、図１４に示すように、縦枠３４の裏面保持部３４ａに、ガラス基材３１の側縁に平行な溝３４ｘを当該側縁と直交する方向（パネル幅方向）に複数配列して形成しておくことも有効である。
【００５２】
このような溝３４ｘを複数設ければ、気泡として閉じ込められる空気は貼り合わせの際に最寄の溝３４ｘに逃げ、両面テープＴ１の端まで移動する必要がないので、所要の接着面を確保しつつ、気泡の追い出し効果を高めることができる。
【００５３】
特に、図示のように溝３４ｘを波状に多数連続させておくと、接着に必要な接点を十分確保でき、しかも面で接触しないため気泡の封じ込めを起こり難くする効果を得ることが期待できる。
【図面の簡単な説明】
【００５４】
【図１】本発明の一実施形態に係るパネルを適用した間仕切装置を示す斜視図。
【図２】同間仕切装置の概略的な分解斜視図。
【図３】同間仕切装置における中段部分のパネルと横枠との関係を示す縦断面図。
【図４】図３の分解斜視図。
【図５】同間仕切装置におけるパネル基材の側縁と縦枠の関係並びに支柱への取付構造を示す平断面図。
【図６】図５の分解斜視図。
【図７】同間仕切装置におけるパネルの下縁と巾木との関係を示す縦断面図。
【図８】図７の分解斜視図。
【図９】同間仕切装置におけるパネルの上縁と天井レールとの関係を示す縦断面図。
【図１０】図９の分解斜視図。
【図１１】同間仕切装置におけるパネルの着脱操作を説明する図。
【図１２】同間仕切装置におけるパネル着脱に必要な条件を説明するための図。
【図１３】同間仕切装置におけるパネルの側縁と縦枠との取付構造を示す拡大平面図。
【図１４】本発明の変形例を示す図。
【符号の説明】
【００５５】
３…パネル
３１…面材（ガラス基材）
３１ｖ…裏面
３１ｗ…小口
３４…縦枠
３４ａ…裏面保持部
３４ｂ…小口保持部
３４ｘ…溝
Ｔ１，Ｔ２…両面テープ
【図１】
2008121269.tif 000003
【図２】
2008121269.tif 000004
【図３】
2008121269.tif 000005
【図４】
2008121269.tif 000006
【図５】
2008121269.tif 000007
【図６】
2008121269.tif 000008
【図７】
2008121269.tif 000009
【図８】
2008121269.tif 000010
【図９】
2008121269.tif 000011
【図１０】
2008121269.tif 000012
【図１１】
2008121269.tif 000013
【図１２】
2008121269.tif 000014
【図１３】
2008121269.tif 000015
【図１４】
2008121269.tif 000016